(57)【要約】【課題】ＬＡＮ構築が困難な建物内へも共通のネットワークを簡単に構築でき、データサーバをどこにでも配設できることを目的とする。【解決手段】端末側ＡＤＳＬ通信装置２５、２６とセンタ側ＡＤＳＬ通信装置２４とを構内電話回線１０３、１０４で接続したＡＤＳＬ通信システムであって、端末側ＡＤＳＬ通信装置２５、２６は、上り下りの使用帯域周波数を調整できるＡＤＳＬモデムと、上り下りの使用帯域周波数に応じてフィルタ特性を切り替えられるフィルタ回路と、構内電話回線に接続するためのスプリッタと、全体を制御する制御部とを有し、センタ側ＡＤＳＬ通信装置２４は、上り下りの使用帯域周波数を調整できるＡＤＳＬモデムと上り下りの使用帯域周波数に応じてフィルタ特性を切り替えられるフィルタ回路とを有するＡＤＳＬモジュールと、構内電話回線に接続するためのスプリッタと、全体を制御する制御部とを有する。【選択図】　図１
2004015786.tif 000002
【特許請求の範囲】
【請求項１】
端末側ＡＤＳＬ通信装置とセンタ側ＡＤＳＬ通信装置とを構内電話回線で接続したＡＤＳＬ通信システムであって、
前記端末側ＡＤＳＬ通信装置は、上りと下りの使用帯域周波数を調整することができるＡＤＳＬモデムと、上りと下りの使用帯域周波数に応じてフィルタ特性を切り替えられるフィルタ回路と、前記構内電話回線に接続するためのスプリッタと、全体を制御する制御部とを有し、
前記センタ側ＡＤＳＬ通信装置は、上りと下りの使用帯域周波数を調整することができるＡＤＳＬモデムと上りと下りの使用帯域周波数に応じてフィルタ特性を切り替えられるフィルタ回路とを有するＡＤＳＬモジュールと、前記構内電話回線に接続するためのスプリッタと、全体を制御する制御部とを有することを特徴とするＡＤＳＬ通信システム。
【請求項２】
前記端末側ＡＤＳＬ通信装置と前記センタ側通信装置とはそれぞれ、前記スプリッタに接続された併設電話機の未使用時には音声帯域周波数まで使用し、前記併設電話機からの発信または前記併設電話機への着信を検知したときには前記併設電話機に音声帯域周波数を解放することを特徴とする請求項１に記載のＡＤＳＬ通信システム。
【発明の詳細な説明】
【０００１】
【発明の属する技術分野】
本発明は、インターネット接続やデータ通信に用いるＡＤＳＬ通信装置を端末側とセンタ側とにそれぞれ備えたＡＤＳＬ通信システムに関するものである。
【０００２】
【従来の技術】
図１０は従来のＡＤＳＬ通信装置を利用したＡＤＳＬ通信システムを示すブロック図であり、図１１は従来の端末側ＡＤＳＬ通信装置（以下、「ＲＴ装置」とも言う）を示すブロック図、図１２は従来のセンタ側（局舎側）ＡＤＳＬ通信装置（以下、「ＣＯ装置」とも言う）を示すブロック図である。
【０００３】
図１０において、１、４は電話回線１００に接続されたスプリッタ、２はスプリッタ１に接続された電話機、３はスプリッタ１に接続された端末側ＡＤＳＬ通信装置、５はスプリッタ４に接続されたＰＯＴ（Ｐｌａｉｎ　Ｏｌｄ　Ｔｅｌｅｐｈｏｎｅ）交換機、６はスプリッタ４に接続されたセンタ側ＡＤＳＬ通信装置、７はＡＤＳＬ通信装置６に接続されたアクセスサーバとしてのＡＴＭ（Ａｓｙｎｃｈｒｏｎｏｕｓ　Ｔｒａｎｓｆｅｒ　Ｍｏｄｅ）ルータ、８はインターネット接続サービスプロバイダ（ＩＳＰ）、９はネットワーク管理装置である。
【０００４】
また図１１において、１はスプリッタ、３は端末側ＡＤＳＬ通信装置、１０はトランス、１１はハイブリッド回路、１２はＡＤＳＬモデムデジタル部、１３はＡＤＳＬモデムＡＦＥ（アナログフロントエンド、Ａｎａｌｏｇｕｅ　Ｆｒｏｎｔ　Ｅｎｄ）部、１４は制御部としてのＣＰＵ、１５はＬＡＮインタフェース部としてのＰＨＹ（Ｐｈｙｓｉｃａｌ　Ｌａｙｅｒ　Ｐｒｏｔｏｃｏｌ）部、１６はＲＳ２３２Ｃドライバ、１７はメモリ、１８は表示部としてのＬＥＤ、１００は電話回線である。
【０００５】
さらに図１２において、４はスプリッタ、６はセンタ側ＡＤＳＬ通信装置、７はＡＴＭルータ、８はＩＳＰ、１９はＡＤＳＬモジュール、２０は制御部としてのＣＰＵ、２１はＡＴＭスイッチ、２２はＬＡＮインタフェース部としてのＰＨＹ部、２３は表示部としてのＬＥＤ、１００は電話回線である。
【０００６】
このように構成されたＡＤＳＬ通信システムについて、その機能、接続等について説明する。
【０００７】
まず図１０のＡＤＳＬ通信システムについて説明する。
【０００８】
端末側ＡＤＳＬ通信装置３が配置された加入者宅へは電話回線１００からスプリッタ１へ接続され、既存の電話機２へと接続される。端末側ＡＤＳＬ通信装置（ＲＴ装置）３は、ＬＡＮ回線と接続するパソコンよりインターネットにアクセスし、情報の受信を行う。一方、局舎側（センタ側）では同様に電話回線１００からスプリッタ４へ接続され、またＰＯＴ交換機５へ接続され、このＰＯＴ交換機５を経由して上位の集中局へと接続される。センタ側ＡＤＳＬ通信装置（ＣＯ装置）６は、ＡＴＭルータ（アクセスサーバ）７を介してインターネット接続サービスプロバイダ（ＩＳＰ）８経由でインターネットに接続される。これにより、端末側からのアクセスを受けてインターネット上の情報を端末側へ配信する。ネットワーク管理装置９は、ネットワークの性能を監視し制御する役目を持っている。
【０００９】
次に、図１１の端末側ＡＤＳＬ通信装置３について説明する。
【００１０】
電話回線１００、スプリッタ１を介してまずトランス１０へ接続される。トランス１０は、ＡＤＳＬ通信装置３を電話回線１００や電話機２と直流的に絶縁分離するためのものである。ハイブリッド回路１１は、ＡＤＳＬモデム（ＡＤＳＬモデムデジタル部１２およびＡＤＳＬモデムＡＦＥ部１３）から電話回線１００への上り信号と電話回線１００からの下り信号とが互いに一方のラインから他方のラインへ漏れ込んだり、互いに干渉することを最小限にする役目を持つ。ＡＤＳＬモデムデジタル部１２は通信変調方式であるＤＭＴ（Ｄｉｓｃｒｅｔｅ　Ｍｕｌｔｉ　Ｔｏｎｅ）を採用し、内部にプログラマブルなＤＳＰを有している。ＡＤＳＬモデムＡＦＥ部１３は、Ａ／Ｄ変換器やＤ／Ａ変換器を有し、ＡＧＣ（Ａｕｔｏｍａｔｉｃ　Ｇａｉｎ　Ｃｏｎｔｒｏｌ）機能やデジタルフィルタにより振幅調整やノイズ除去を行う。ＣＰＵ１４は、全体の制御を行うが、ＬＡＮ接続する為に内部のＭＡＣ機能（Ｍｅｄｉａ　Ａｃｃｅｓｓ　Ｃｏｎｔｒｏｌ）を介して、ＰＨＹ機能を持つＬＳＩとしてのＰＨＹ部１５でＬＡＮケーブルと接続される。ＣＰＵ１４は、ＡＤＳＬ通信に必須な機能である上位レイヤのユーザアプリケーション、データをパケット化する重要な機能を持つ。ＲＳ２３２Ｃドライバ１６は、パソコン上でＡＤＳＬの通信品質をモニタする為のデータ送受信ラインである。メモリ１７はシステムソフトを格納する他に、ＡＤＳＬ通信を実現する上での必要なプログラムを格納し、ＡＤＳＬモデムデジタル部１２に内蔵のＤＳＰへ端末側の起動時にダウンロードする。ＬＥＤ１８は通信状態を表示する役目を持つ。
【００１１】
次に、図１２のセンタ側ＡＤＳＬ通信装置６について説明する。
【００１２】
電話回線１００、スプリッタ４を介してまずＡＤＳＬモジュール１９に接続される。このＡＤＳＬモジュール１９は、前述した図１１の端末側ＡＤＳＬ通信装置（ＲＴ装置）３のトランス１０、ハイブリッド回路１１、ＡＤＳＬモデムデジタル部１２、ＡＤＳＬモデムＡＦＥ部１３および図示しないデータ転送用のロジック部で構成される。図１２に示すようにＡＤＳＬモジュール１９としては複数構成が可能である。ＣＰＵ２０は、ＡＴＭスイッチ２１と複数のＡＤＳＬモジュール１９とのデータ転送を制御する。ＡＴＭスイッチ２１はＡＴＭセルの多重化、振り分けを行う。ＰＨＹ機能を有するＰＨＹ部２２は、ネットワークの通信品質を管理する為のパソコンとのＬＡＮ通信の役目を持つ。ＬＥＤ２３は通信状態を表示する。
【００１３】
【発明が解決しようとする課題】
しかしながら、従来、企業や病院等の同一敷地内に於いて、ＬＡＮのネットワーク構築は必須であるが、新たにＬＡＮケーブルを引くにはコストが高くつく場合もあり、延長距離も１００ｍ前後であるという問題点を有していた。また、互いに離れた建物にあるスタンドアロンのパソコンとＬＡＮ接続できない事もあり得るという問題点を有していた。この場合、離れた建物に新たにサーバを設置しても、データを配信したりするネットワークの構築が困難であるという問題点を有していた。
【００１４】
このＡＤＳＬ通信システムでは、企業内等の構内電話回線を利用する事で、ＬＡＮ構築が困難な建物内へも共通のネットワークを簡単に構築することができ、データサーバをどこにでも配設することができることが要求されている。
【００１５】
本発明は、これらの要求を満たすため、ＬＡＮ構築が困難な建物内へも共通のネットワークを簡単に構築することができ、データサーバをどこにでも配設することができるＡＤＳＬ通信システムを提供することを目的とする。
【００１６】
【課題を解決するための手段】
上記課題を解決するために本発明のＡＤＳＬ通信システムは、端末側ＡＤＳＬ通信装置とセンタ側ＡＤＳＬ通信装置とを構内電話回線で接続したＡＤＳＬ通信システムであって、端末側ＡＤＳＬ通信装置は、上りと下りの使用帯域周波数を調整することができるＡＤＳＬモデムと、上りと下りの使用帯域周波数に応じてフィルタ特性を切り替えられるフィルタ回路と、構内電話回線に接続するためのスプリッタと、全体を制御する制御部とを有し、センタ側ＡＤＳＬ通信装置は、上りと下りの使用帯域周波数を調整することができるＡＤＳＬモデムと上りと下りの使用帯域周波数に応じてフィルタ特性を切り替えられるフィルタ回路とを有するＡＤＳＬモジュールと、構内電話回線に接続するためのスプリッタと、全体を制御する制御部とを有する構成を備えている。
【００１７】
これにより、ＬＡＮ構築が困難な建物内へも共通のネットワークを簡単に構築することができ、データサーバをどこにでも配設することができるＡＤＳＬ通信システムが得られる。
【００１８】
【発明の実施の形態】
本発明の請求項１に記載のＡＤＳＬ通信システムは、端末側ＡＤＳＬ通信装置とセンタ側ＡＤＳＬ通信装置とを構内電話回線で接続したＡＤＳＬ通信システムであって、端末側ＡＤＳＬ通信装置は、上りと下りの使用帯域周波数を調整することができるＡＤＳＬモデムと、上りと下りの使用帯域周波数に応じてフィルタ特性を切り替えられるフィルタ回路と、構内電話回線に接続するためのスプリッタと、全体を制御する制御部とを有し、センタ側ＡＤＳＬ通信装置は、上りと下りの使用帯域周波数を調整することができるＡＤＳＬモデムと上りと下りの使用帯域周波数に応じてフィルタ特性を切り替えられるフィルタ回路とを有するＡＤＳＬモジュールと、構内電話回線に接続するためのスプリッタと、全体を制御する制御部とを有することとしたものである。
【００１９】
この構成により、ＬＡＮケーブルの媒体を利用せずに既存の構内電話回線を利用することができるので、ＬＡＮ構築が困難な建物内へも共通のネットワークを簡単に構築することができ、また、公衆電話回線を利用した現行のＡＤＳＬ勧告を全て満足する必要がなく、上りと下りの使用帯域周波数を調整することにより、上りと下りの使用帯域周波数を数段階に区分して通信速度を可変にすることができるので、データサーバをどこに配設してもデータを配信することができるという作用を有する。
【００２０】
請求項２に記載のＡＤＳＬ通信システムは、請求項１に記載のＡＤＳＬ通信システムにおいて、端末側ＡＤＳＬ通信装置とセンタ側通信装置とはそれぞれ、スプリッタに接続された併設電話機の未使用時には音声帯域周波数まで使用し、併設電話機からの発信または併設電話機への着信を検知したときには併設電話機に音声帯域周波数を解放することとしたものである。
【００２１】
この構成により、併設電話機の未使用時には、音声帯域周波数を含む２５ｋＨｚ以下までを使って更に高速の通信速度を得ることができるという作用を有する。
【００２２】
以下、本発明の実施の形態について、図１〜図９を参照しながら説明する。
【００２３】
（実施の形態１）
図１は、本発明の実施の形態１によるＡＤＳＬ通信システムを示す構成図である。
【００２４】
図１において、２４はセンタ側ＡＤＳＬ通信装置（ＣＯ装置）、２５、２６は端末側ＡＤＳＬ通信装置（ＲＴ装置）、２７、２８はスプリッタ、２９、３０は併設電話機、３１、３２はサーバ（データサーバ）、３３はＰＢＸ、３４はパソコン、１０１はＬＡＮケーブルを引ける建物、１０２はＬＡＮケーブルを引けない建物、１０３、１０４は電話回線（例えば構内電話回線）である。
【００２５】
このように構成されたＡＤＳＬ通信システムについて、その概略動作を説明すると、端末側ＡＤＳＬ通信装置２５はセンタ側ＡＤＳＬ通信装置２４を経由してサーバ３２からデータをダウンロードすることができ、パソコン３４はセンタ側ＡＤＳＬ通信装置２４、端末側ＡＤＳＬ通信装置２６を経由してサーバ３１からデータをダウンロードすることができる。併設電話機２９は従来どおり、ＰＢＸ３３を介して発信と着信が可能である。
【００２６】
図２は図１の端末側ＡＤＳＬ通信装置２５、２６を示すブロック図であり、図４は図２のトランス１０、ハイブリッド回路１１、フィルタ回路３５、ＡＤＳＬモデムＡＦＥ部１３を詳細に示す回路図である。
【００２７】
図２に示す端末側ＡＤＳＬ通信装置２５、２６は、図１１の従来の端末側ＡＤＳＬ通信装置にフィルタ回路３５を追加したものである。
【００２８】
図４において、５１は必要な送信電力を得る為の上り用のラインドライバ、５２は減衰した信号を増幅する為の下り用のラインレシーバ、５３は図２のトランス１０に相当するトランス、５４はＺ１〜Ｚ４から成り、図２のハイブリッド回路１１に相当するハイブリッド回路、５５は２系統で各系統３個のローパスフィルタとしてのＲＣフィルタ、５５ＡはＲＣフィルタ５５ａ、５５ｂ、５５ｃから成る第１のＲＣフィルタ、５５ＢはＲＣフィルタ５５ａ、５５ｂ、５５ｃから成る第２のＲＣフィルタ、５６は３個のハイパスフィルタ５６ａ、５６ｂ、５６ｃとしてのＬＣフィルタ、５７、５８はＳＷ（スイッチ）である。
【００２９】
ここで、使用帯域周波数について説明する。本実施の形態においてＣＯ装置、ＲＴ装置の両機能を実現するにはまず、従来の使用帯域周波数であるＲＴ装置の上り２５ｋＨｚ〜１３８ｋＨｚと、ＣＯ装置の下り１３８ｋＨｚ〜１．１ＭＨｚとを固定から可変にする事である。例えば、使用帯域周波数を次のようにする。
【００３０】
▲１▼従来どおり上りを２５ｋＨｚ〜１３８ｋＨｚ、下りを１３８ｋＨｚ〜１．１ＭＨｚ
▲２▼上りを２５ｋＨｚ〜５００ｋＨｚ、下りを５００ｋＨｚ〜１．１ＭＨｚ
▲３▼上りを２５ｋＨｚ〜９００ｋＨｚ、下りを９００ｋＨｚ〜１．１ＭＨｚ
の３種類を可能にする。従来であればユーザは、端末側ＡＤＳＬ通信装置を使用してデータをダウンロードする事から、下りが高速である▲１▼が良いが、本実施の形態においてはセンタ側ＡＤＳＬ通信装置（ＣＯ装置）からでもユーザが端末側のサーバ３１（図１）にアクセスしてデータをダウンロードすることができるので、この時は▲３▼の上りを２５ｋＨｚ〜９００ｋＨｚにすれば、センタ側に高速な通信速度でダウンロードすることが可能になる。
【００３１】
これらの使用する帯域の決定は、常時接続状態においてユーザがアクセスする時に端末側とセンタ側のＡＤＳＬモデムデジタル部１２、１３間で随時ハンドシェイクを行い、帯域の種類を▲１▼、▲２▼、▲３▼のいずれかに決める。このようなアルゴリズムへ従来の固定方式から変更したプログラムをメモリ１７に格納し、ＡＤＳＬ通信装置２５、２６の起動時にＡＤＳＬモデムデジタル部１２のＤＳＰにダウンロードする。
【００３２】
次に、フィルタ回路３５について、図４を用いて説明する。
【００３３】
ＡＤＳＬモデムＡＦＥ部１３からトランス５３までの間および電話回線１０３、１０４上の信号伝送は、耐ノイズ、長距離伝送とするため、平衡伝送である。ＲＣフィルタ５５は、上りの使用通過帯域周波数に応じて帯域外を遮断し、不要なノイズをライン上や周辺に漏らさないようにしている。ＲＣフィルタ５５は６個あり，Ｒ部品（抵抗器），Ｃ部品（コンデンサ）で構成したローパスフィルタである。種類はＲＣフィルタ５５ａ、５５ｂ、５５ｃの３種類である。これらは前述の使用帯域周波数種類の▲１▼、▲２▼、▲３▼に対応しており、ＲＣフィルタ５５ａが▲１▼、ＲＣフィルタ５５ｂが▲２▼、ＲＣフィルタ５５ｃが▲３▼である。ＳＷ（スイッチ）５７は、ＲＣフィルタ５５をオン、オフする為のものであり、ＣＰＵ１４より制御されるが、ＲＣフィルタ５５ａ、５５ｂ、５５ｃが同時にオンする事はない。ＲＣフィルタ５５ａを使用するのであれば、ＳＷ５７は２個のＲＣフィルタ５５ａをオンする。同様に、電話回線１０３、１０４からの受信信号ラインにもハイパスフィルタであるＬＣフィルタ５６とＳＷ５８とがある。３種類、３個のフィルタでありＲＣフィルタ５５ａとＬＣフィルタ５６ａ、ＲＣフィルタ５５ｂとＬＣフィルタ５６ｂ、ＲＣフィルタ５５ｃとＬＣフィルタ５６ｃが各々ペアであり連動してオン、オフする。そして、ＡＤＳＬモデムデジタル部１２のＤＳＰ内のプログラムソフトと共にフィルタ回路３５も連携して動作する事により、使用帯域周波数を変化させることができ、上りと下りの通信速度を変える事が可能となる。
【００３４】
次に、センタ側ＡＤＳＬ通信装置（ＣＯ装置）２４について、図３、図５を用いて説明する。図３はセンタ側ＡＤＳＬ通信装置２４を示すブロック図であり、図５は図３のＡＤＳＬモジュール等を詳細に示す回路図である。図３は、例として３ラインの通信ができるようにスプリッタ、ＡＤＳＬモジュールを各３個搭載した場合を示す。
【００３５】
図３において、４０〜４２はＰＢＸ３３や構内電話回線１０３、１０４に接続されたスプリッタ、４３〜４５はＡＤＳＬモジュール、４６は後述のＳＡＲコントローラを内蔵するデータ転送制御回路、４７は全体を制御する制御部としてのＣＰＵ、４８は通信状態を管理するパソコンとのデータ転送の為のＲＳ２３２Ｃドライバ、４９はＨＵＢ（ハブ）とＬＡＮ接続してデータ転送する為のＰＨＹ部、５０は通信状態を表示する表示部としてのＬＥＤである。
【００３６】
また、図５において、構成要素４３〜４９は図３と同様のものであり、６０は図４のトランス５３とハイブリッド回路５４とフィルタ回路３５とから成るＡＤＳＬモジュール４３を構成する回線ブロック、６１はＡＤＳＬモジュール４３を構成するＡＤＳＬモデムＡＦＥ部、６２はＡＤＳＬモジュール４３を構成するＡＤＳＬモデムデジタル部、６２、６５は信号を多重化する多重化部（ＭＵＸ部）、６３、６４は多重化信号を分離する逆多重化部（ＤｅＭＵＸ部）、６６はＳＡＲコントローラ、６７はメモリである。
【００３７】
このような構成されたセンタ側ＡＤＳＬ通信装置２４について、データ送受信の流れを説明する。
【００３８】
ＡＤＳＬモジュール４３〜４５は、図４のトランス５３、ハイブリッド回路５４、フィルタ回路３５（ラインドライバ５１、ラインレシーバ５２を含む）、ＡＤＳＬモデムＡＦＥ部１３と共にＡＤＳＬモデムデジタル部１２（図２）を有する。これが、図５中の点線で囲んだＡＤＳＬモジュール４３である。このＡＤＳＬモジュール４３は、実線で囲んだ部分のトランス、フィルタ回路、ラインドライバ、ラインレシーバ、ハイブリッド回路で構成された回線ブロック６０と、ＡＤＳＬモデムＡＦＥ部６１と、ＡＤＳＬモデムデジタル部６２とで構成される。回線ブロック６０は図４と構成は同じである。回線ブロック６０の中でＬＣフィルタ５６ａ〜５６ｃはハイパスフィルタであり、この送信信号が図４の受信信号ライン（下り）へ伝送される。また、回線ブロック６０の中でＲＣフィルタ５５ａ〜５５ｃはローパスフィルタであり、図４の送信信号ライン（上り）からこのラインへと伝送される。図４と図５のＲＣフィルタ５５ａ〜５５ｃは各々同じ特性である。ＬＣフィルタ５６ａ〜５６ｃも同様である。センタ側ＡＤＳＬ通信装置（ＣＯ装置）２４は、このようなＡＤＳＬモジュールを複数搭載する。図５はＡＤＳＬモジュール４３〜４５の３枚搭載した場合を示す。次のデータ転送制御回路４６はメインボードとなっており、複数のＡＤＳＬモジュール４３〜４５をコネクタを介してメインボード上に搭載する構造となる。
【００３９】
ＡＤＳＬモジュール４３〜４５とデータ転送制御回路４６のメインボードとのインタフェースはＵＴＯＰＩＡ仕様で転送される。このＵＴＯＰＩＡとは、（　Ｕｎｉｖｅｒｓａｌ　Ｔｅｓｔ　Ｏｐｅｒａｔｉｏｎｓ　ＰＨＹ　Ｉｎｔｅｒｆａｃｅ　ｆｏｒ　ＡＴＭ）の略であり、ＡＴＭ仕様に定められたＡＴＭ層と物理層の受け渡しデータを規定したものである。このＡＴＭ仕様のデータを多重化（ＭＵＸ）、逆多重化（ＤｅＭＵＸ）する機能を搭載する。ＵＴＯＰＩＡインタフェースでは送信、受信共にデータ線は８本あり、各データ線共に最大で２５ＭＨｚで転送される。複数のＡＤＳＬモジュールを搭載すれば、これが数十〜百本以上のデータ線となる。ＡＤＳＬモジュールが増えればそれだけ、メインボード上でのデータ転送距離が延びる事になり、データの欠落等を生じ、安定動作の保証が困難になってくる。その為に、多重化、逆多重化を行いデータ転送を確実に行う目的も兼ねて速度変換を行うブロックを入れる。
【００４０】
多重化部６２、６５、逆多重化部６３、６４は多重、逆多重化を行うＬＳＩである。多重化部６２と逆多重化部６４および逆多重化部６３と多重化部６５の転送はシリアルで、数百ＭＨｚから１ＧＨｚを越える事もあり得る。各ＬＳＩ６２〜６５は中にＦＩＦＯバッファを持っており、何個かのＡＴＭセルをストアできる。１ＡＴＭセルは４２４ビットである。図５は３回線分であるから、データ線としては、ＡＤＳＬモジュールから２４本（３×８）のデータ線がＭＵＸ部６２に入力される。これを１本に多重化してＤｅＭＵＸ部６４に転送する。出力は元の２４本のデータ線と同じ通信速度で出てくる。同様にＵＴＯＰＩＡ仕様の２４本（３×８）のデータをＭＵＸ部６５に入力し、多重化してＤｅＭＵＸ部６３へ入力する。出力は再度、２４本（３×８）のデータに分離され、各ＡＤＳＬモジュール４３〜４５のＡＤＳＬモデムデジタル部６２へ入力される。
【００４１】
次に、ＳＡＲコントローラ６６を説明する。ＳＡＲとはＳｅｇｍｅｎｔａｔｉｏｎ　Ａｎｄ　Ｒｅａｓｓｅｍｂｌｙの略であり、セル分割組立を実行する機能である。
【００４２】
上位レイヤから渡されたプロトコルデータユニットは、ＡＴＭセルの情報フィールドに合ったサイズへ分割する。逆に、ＡＴＭセルの情報フィールドの内容を元のプロトコルデータユニットに組み立てる機能も持っている。ＳＡＲコントローラ６６のデータ転送処理速度も高速で１００ＭＨｚ以上あり、これは複数のＡＤＳＬモジュール搭載、処理の為に必要な処理速度である。ＣＰＵ４７ではＳＡＲの上位プロトコル処理を実行する。ＣＰＵ４７はＭＡＣ機能を持っており、ＭＡＣ（Ｍｅｄｉａ　Ａｃｃｅｓｓ　Ｃｏｎｔｒｏｌ）とは、媒体アクセス制御であるデータをＬＡＮ側との間でどのように送受信するかを制御する機能である。更に、ＰＨＹ部４９へ接続する。ここでは、伝送データのコード化、フレーム処理を行い、ケーブルを介してネットワーク間機器とデータを送受信する。ＲＳ２３２Ｃドライバ６９は、通信状態を管理する為のデータをパソコンと送受信するものである。メモリ６７は、端末側ＡＤＳＬ通信装置２５、２６と同様、ユーザが端末側もしくはセンタ側からアクセスする時に端末側とセンタ側のＡＤＳＬモデム６１、６２間で随時ハンドシェイクを行い使用する帯域を決めるが、このようなアルゴリズムへ従来の固定方式から変更したプログラムを格納している。このプログラムは、センタ側ＡＤＳＬ通信装置２４の起動時に、ＡＤＳＬモデムデジタル部６２のＤＳＰにダウンロードされる。
【００４３】
このような双方のＡＤＳＬ通信装置２４と２５、２６を使って、図１の如く構内でのネットワーク構築が可能となる。
【００４４】
以上のように本実施の形態によれば、端末側ＡＤＳＬ通信装置２５、２６は、上りと下りの使用帯域周波数を調整することができるＡＤＳＬモデムデジタル部１２、１３と、上りと下りの使用帯域周波数に応じてフィルタ特性を切り替えられるフィルタ回路３５と、構内電話回線に接続するためのスプリッタ２７、２８と、全体を制御する制御部１４とを有し、センタ側ＡＤＳＬ通信装置２４は、上りと下りの使用帯域周波数を調整することができるＡＤＳＬモデムと上りと下りの使用帯域周波数に応じてフィルタ特性を切り替えられるフィルタ回路とを有するＡＤＳＬモジュール４３〜４５と、構内電話回線に接続するためのスプリッタ４０〜４２と、全体を制御するＣＰＵ４７とを有することにより、ＬＡＮケーブルの媒体を利用せずに既存の構内電話回線１０３、１０４を利用することができるので、ＬＡＮ構築が困難な建物１０２内へも共通のネットワークを簡単に構築することができ、また、公衆電話回線を利用した現行のＡＤＳＬ勧告を全て満足する必要がなく、上りと下りの使用帯域周波数を調整することにより、上りと下りの使用帯域周波数を数段階に区分して通信速度を可変にすることができるので、データサーバ３１、３２をどこに配設しても、データを配信することができる。
【００４５】
（実施の形態２）
図６は、本発明の実施の形態２によるＡＤＳＬ通信システムを示す構成図である。
【００４６】
図６において、２ａ、２ｂは併設電話機、７０はセンタ側ＡＤＳＬ通信装置、７１は端末側ＡＤＳＬ通信装置、１０５は構内電話回線である。
【００４７】
図７はＡＤＳＬ通信装置７０、７１を示すブロック図である。
【００４８】
図７において、構成要素１０〜１８は図２と同様のものであり、また併設電話機２ａ、２ｂ、構内電話回線１０５は図６と同様のものである。７３は併設電話機２ａ、２ｂのオフフックを検知する機能と着信のベル検知機能とを有するオフフック検知ベル検知回路、７４はＡＤＳＬ通信装置７０、７１に内蔵されたスプリッタである。
【００４９】
図８は図７のオフフック検知ベル検知回路７３等を示す回路図である。
【００５０】
図８において、構成要素２ａ、２ｂ、７３、７４、１０５は図７と同様のものであり、７５は着信のベルを検知するベル検知回路、７６はオフフックを検知するオフフック検知回路、７７はループコイル、７８はリレースイッチである。上記オフフック検知回路７６はループコイル７７、高耐圧フォトカプラ、ロジック回路で構成される。
【００５１】
ここで、接続について説明すると、構内電話回線１０５からのラインは、スプリッタ７４を介して、点線で囲んだベル検知回路７５とオフフック検知回路７６に接続され、更に一端は、リレースイッチ７８に接続して、外付けの併設電話機２ａ、２ｂに接続されている。
【００５２】
このように構成されたＡＤＳＬ通信システムについて、ＡＤＳＬ通信装置７０、７１における電源起動時からの動作シーケンスを図９を用いて説明する。図９はＡＤＳＬ通信装置７０、７１の動作を示すフローチャートである。なお、事前に２５ｋＨｚ〜１．１ＭＨｚのハンドシェイクが完了して通信待機状態にあるものとする（Ｓ１、Ｓ２）。
【００５３】
（１）まず、リレースイッチ７８をオフする。この状態で着信の有無を判定する（Ｓ３）。着信時の呼び出し信号は、スプリッタ７４を介して、数十ボルト以上の正弦波信号としてベル検知回路７５に入力される。ベル検知回路７５は、高耐圧ダイオード、高耐圧フォトカプラ、ロジック回路で構成される。着信の有無を示す判定信号はＣＰＵ１４へ知らされる。着信してない場合は併設電話機２ａ、２ｂのオフフック状態の有無を確認する（Ｓ４）。
【００５４】
（２）まず、併設電話機２ａ、２ｂのオフフック状態の有無を確認するために、リレースイッチ７８をオン（ショート）する。これにより、ループコイル７７によって直流ループが形成される。ループコイル７７による直流電流は、本来の併設電話機２ａ、２ｂによる直流電流より十分に小さくする。仮に、併設電話機２ａ、２ｂのオフフックスイッチがオンフック（受話器を上げてない状態）状態の時、直流電流が２０ｍＡだとする。オフフック（受話器を上げる）されると、直流電流は併設電話機２ａ、２ｂの方に大きく流れる事になり、ループコイル７７を流れる電流の値は２０ｍＡより小さくなる。仮に１０ｍＡになったとする。この電流の差でフォトカプラをオン、オフさせる事でＣＰＵ１４へオフフックの有無を知らせる。なお、この直流電流はＰＢＸ内で重畳されるものである。
【００５５】
（３）構内電話回線１０５からの着信がなくても、併設電話機２ａ、２ｂがオフフック状態であれば（１）へもどる。オンフックであればＣＰＵ１４は図７のＡＤＳＬモデムデジタル部１２へ使用帯域周波数下限を今の２５ｋＨｚから更に０ｋＨｚまで下げるようにコントロールする。これにより、センタ側のＡＤＳＬモデムデジタル部１２と再度、ハンドシェイクを開始する（Ｓ５、Ｓ６）。この間の実行中に、センター側、端末側双方のいずれかの併設電話機２ａ、２ｂがオフフックされると、ハンドシェイクを中止する（Ｓ７）。つまり、常時ＣＰＵ１４はベル検知回路７５とオフフック検知回路７６からの検知信号を見ている。ハンドシェイクを中止した後、再度（１）へもどる。
【００５６】
オフフックや着信が継続してなければ、ハンドシェイク完了後、使用帯域周波数が０ｋＨｚまで下げる事になり（Ｓ８、Ｓ９）、これで、更なる高速な通信速度が得られる。
【００５７】
（４）０ｋＨｚから１．１ＭＨｚを使用しての通信状態において、オフフックや着信を検知したら（Ｓ１０）、ＡＤＳＬの通信状態を管理するＯＡＭ機能（Ｏｐｅｒａｔｉｏｎｓ　ａｎｄ　Ｍａｉｎｔｅｎａｎｃｅ）を使って、このデータレジスタ領域（ＡＤＳＬモデムデジタル部１２内のＤＳＰ内の領域）を書き換え、変化した事を双方で認識することができる。この結果、使用帯域周波数の下限値を２５ｋＨｚに上げて、継続して通信を行う（Ｓ１１）。そして、通信を継続する必要が無くなると、通信を完了する（Ｓ１２）。オフフックや着信がなければ、０ｋＨｚから１．１ＭＨｚを使用しての通信を完了する（Ｓ１３）。
【００５８】
以上のように本実施の形態によれば、端末側ＡＤＳＬ通信装置７０とセンタ側通信装置７１とはそれぞれ、スプリッタ７４に接続された併設電話機２ａ、２ｂの未使用時には音声帯域周波数まで使用し、併設電話機２ａ、２ｂからの発信または併設電話機２ａ、２ｂへの着信を検知したときには併設電話機２ａ、２ｂに音声帯域周波数を解放することにより、併設電話機２ａ、２ｂの未使用時には、音声帯域周波数を含む２５ｋＨｚ以下までを使って更に高速の通信速度を得ることができる。
【００５９】
【発明の効果】
以上説明したように本発明の請求項１に記載のＡＤＳＬ通信システムによれば、端末側ＡＤＳＬ通信装置とセンタ側ＡＤＳＬ通信装置とを構内電話回線で接続したＡＤＳＬ通信システムであって、端末側ＡＤＳＬ通信装置は、上りと下りの使用帯域周波数を調整することができるＡＤＳＬモデムと、上りと下りの使用帯域周波数に応じてフィルタ特性を切り替えられるフィルタ回路と、構内電話回線に接続するためのスプリッタと、全体を制御する制御部とを有し、センタ側ＡＤＳＬ通信装置は、上りと下りの使用帯域周波数を調整することができるＡＤＳＬモデムと上りと下りの使用帯域周波数に応じてフィルタ特性を切り替えられるフィルタ回路とを有するＡＤＳＬモジュールと、構内電話回線に接続するためのスプリッタと、全体を制御する制御部とを有することにより、ＬＡＮケーブルの媒体を利用せずに既存の構内電話回線を利用することができるので、ＬＡＮ構築が困難な建物内へも共通のネットワークを簡単に構築することができ、また、公衆電話回線を利用した現行のＡＤＳＬ勧告を全て満足する必要がなく、上りと下りの使用帯域周波数を調整することにより、上りと下りの使用帯域周波数を数段階に区分して通信速度を可変にすることができるので、データサーバをどこに配設してもデータを配信することができるという有利な効果が得られる。
【００６０】
請求項２に記載のＡＤＳＬ通信システムによれば、請求項１に記載のＡＤＳＬ通信システムにおいて、端末側ＡＤＳＬ通信装置とセンタ側通信装置とはそれぞれ、スプリッタに接続された併設電話機の未使用時には音声帯域周波数まで使用し、併設電話機からの発信または併設電話機への着信を検知したときには併設電話機に音声帯域周波数を解放することにより、併設電話機の未使用時には、音声帯域周波数を含む２５ｋＨｚ以下までを使って更に高速の通信速度を得ることができるという有利な効果が得られる。
【図面の簡単な説明】
【図１】本発明の実施の形態１によるＡＤＳＬ通信システムを示す構成図
【図２】図１の端末側ＡＤＳＬ通信装置を示すブロック図
【図３】センタ側ＡＤＳＬ通信装置を示すブロック図
【図４】図２のトランス、ハイブリッド回路、フィルタ回路、ＡＤＳＬモデムＡＦＥ部を詳細に示す回路図
【図５】図３のＡＤＳＬモジュール等を詳細に示す回路図
【図６】本発明の実施の形態２によるＡＤＳＬ通信システムを示す構成図
【図７】ＡＤＳＬ通信装置を示すブロック図
【図８】図７のオフフック検知ベル検知回路等を示す回路図
【図９】ＡＤＳＬ通信装置の動作を示すフローチャート
【図１０】従来のＡＤＳＬ通信装置を利用したＡＤＳＬ通信システムを示すブロック図
【図１１】従来の端末側ＡＤＳＬ通信装置を示すブロック図
【図１２】従来のセンタ側ＡＤＳＬ通信装置を示すブロック図
【符号の説明】
２ａ、２ｂ　併設電話機
１０、５３　トランス
１１、５４　ハイブリッド回路
１２、５９　ＡＤＳＬモデムデジタル部
１３、６１　ＡＤＳＬモデムＡＦＥ部
１４、２０、４７　ＣＰＵ
１５、２２、４９　ＰＨＹ部
１６、４８　ＲＳ２３２Ｃドライバ
１７　メモリ
１８、２３、５０　ＬＥＤ（表示部）
１９、４３、４４、４５　ＡＤＳＬモジュール
２１　ＡＴＭスイッチ
２４、７１　ＡＤＳＬ通信装置（ＣＯ装置）
２５、２６、７０　ＡＤＳＬ通信装置（ＲＴ装置）
２７、２８、４０、４１、４２、７４　スプリッタ
２９、３０　電話機
３１、３２　サーバ
３３　ＰＢＸ
３４　パソコン
３５　フィルタ回路
４６　データ転送制御回路
５１　ラインドライバ
５２　ラインレシーバ
５５、５５ａ、５５ｂ、５５ｃ　ＲＣフィルタ
５６、５６ａ、５６ｂ、５６ｃ　ＬＣフィルタ
５７、５８　ＳＷ（スイッチ）
６０　回線ブロック
６２、６５　ＭＵＸ部（多重化部）
６３、６４　ＤｅＭＵＸ部（逆多重化部）
６６、７２　ＳＡＲコントローラ
７３　オフフック検知ベル検知回路
７５　ベル検知回路
７６　オフフック検知回路
７７　ループコイル
７８　リレースイッチ
１０１　ＬＡＮケーブルを引ける建物
１０２　ＬＡＮケーブルを引けない建物
１０３、１０４　電話回線
１０５　構内電話回線
【図１】
2004015786.tif 000003
【図２】
2004015786.tif 000004
【図３】
2004015786.tif 000005
【図４】
2004015786.tif 000006
【図５】
2004015786.tif 000007
【図６】
2004015786.tif 000008
【図７】
2004015786.tif 000009
【図８】
2004015786.tif 000010
【図９】
2004015786.tif 000011
【図１０】
2004015786.tif 000012
【図１１】
2004015786.tif 000013
【図１２】
2004015786.tif 000014